(57)【要約】【課題】本発明は、口内法用の歯科用Ｘ線撮影装置において、装置の撮影条件、撮影モードの変更及び設定を非接触あるいは、下肢による入力により行い、患者から患者への患者感染あるいは、術者への感染を予防する口内法用の歯科用Ｘ線撮影装置を提供する。【解決手段】口内法用の歯科用Ｘ線撮影装置において、物体が特定の範囲内に進入したことを非接触により検出する検出手段が、物体を検出したとき、あるいは、下肢を用いて入力する入力手段が、入力を検出したときに装置の撮影条件あるいは、撮影モードの設定及び変更を行う。【選択図】図１
2008229065.tif 000002
【特許請求の範囲】
【請求項１】
Ｘ線フィルムあるいは、ＣＣＤセンサ等の受像部を口腔内に挿入し、口腔外よりＸ線を照射して歯牙等のＸ線撮影を行う所謂、口内法用の歯科用Ｘ線撮影装置において、撮影に際して特に、撮影条件（ｋＶ、ｍＡ、ｓｅｃ）及び撮影モードの両方または、いずれかの設定／変更手段が、従来一般に用いられている操作パネル上等のスイッチを指先で触れての設定／変更操作とは異なる他の入力検出手段を有する前記設定／変更手段を単独にまたは併設して、前記撮影条件、撮影モードの設定／変更を行うことを、特徴とする口内法用の歯科用Ｘ線撮影装置。
【請求項２】
前記撮影条件（ｋＶ、ｍＡ、ｓｅｃ）及び撮影モードの両方または、いずれかの設定／変更手段の入力検出手段が、非接触型の複数の検出器で構成され、物体が特定の前記検出器の検出範囲以内に進入したことを検出して前記撮影条件、撮影モードの設定あるいは、変更が行われることを、特徴とする請求項１に記載の口内法用の歯科用Ｘ線撮影装置。
【請求項３】
前記撮影条件（ｋＶ、ｍＡ、ｓｅｃ）及び撮影モードの両方または、いずれかの設定／変更手段の入力検出手段が、非接触の２個の検出器で構成され、物体が単独あるいは、同時に両方の検出器の検出範囲以内に進入したことを検出して前記撮影条件、撮影モードの設定あるいは、変更が行われることを、特徴とする請求項１及び請求項２に記載の口内法用の歯科用Ｘ線撮影装置。
【請求項４】
前記撮影条件（ｋＶ、ｍＡ、ｓｅｃ）及び撮影モードの両方または、いずれかの設定／変更手段の入力検出手段が、複数のフットスイッチで構成され、単独のフットスイッチあるいは、複数のフットスイッチを同時に足先で踏むことで、前記撮影条件、撮影モードの設定あるいは、変更が行われることを、特徴とする請求項１に記載の口内法用の歯科用Ｘ線撮影装置。
【請求項５】
前記撮影条件（ｋＶ、ｍＡ、ｓｅｃ）及び撮影モードの両方または、いずれかの設定／変更手段の入力検出手段が、近接センサ、レーザ、レーザセンサ、可視光及び赤外光による光学センサ、焦電センサのうち選択された少なくとも１つからなる請求項２に記載の口内法用の歯科用Ｘ線撮影装置。
【請求項６】
前記撮影条件（ｋＶ、ｍＡ、ｓｅｃ）及び撮影モードの両方または、いずれかの設定／変更手段の入力検出手段の構成が、マットスイッチからなる請求項４に記載の口内法用の歯科用Ｘ線撮影装置。
【発明の詳細な説明】
【技術分野】
【０００１】
本発明は、口内法用の歯科用Ｘ線撮影装置に関する。
【０００２】
更に詳しくは、撮影条件、撮影モードの設定、変更を非接触あるいは、手入力以外で行う口内法用の歯科用Ｘ線撮影装置に関する。
【背景技術】
【０００３】
通常、従来ある口内法用の歯科用Ｘ線撮影装置では、撮影条件、撮影モードの設定、変更は、操作パネルによる操作方法によりそれぞれのスイッチを術者が手先で押し選択している。口内法による撮影では、術者が患者の口腔内に触れることが一般的でありまた患者毎に、または、撮影する歯牙によっても撮影条件を変更しなければならないことが多い。よって手で患者口腔内に触れた後に操作パネルのスイッチを押すことが常に起こりえる。この時、患者から患者への患者感染の恐れあるいは、術者への感染の恐れが考えられ、この感染の予防を考慮する必要があり、このことから操作パネルの消毒、あるいは何らかの感染防止策を施す必要が生じてくる。しかしこの簡易的で作業性のよい方法がないのが現状であり時代の要求として、その改善策が望まれている。
【特許文献１】特開平５−６８６８６号公報
【特許文献２】特開２００３−２９０２４９号公報
【発明の開示】
【発明が解決しようとする課題】
【０００４】
従来、医療用Ｘ線装置においては、Ｘ線照射スイッチとしてフットスイッチが用いられているのは公知であるが、口内法用の歯科用Ｘ線撮影装置において、術者は、撮影条件、撮影モードの設定及び変更を操作パネルにて行う。また撮影に際して、術者が患者の口腔内に触れることが一般的であり、この時、患者口腔内に触れた後に操作パネルのスイッチを押すことが常に考えられる。このことから患者から患者への患者感染あるいは、術者への感染が考えられる。
【０００５】
本発明は、上記した問題点に鑑みなされたもので、口内法用の歯科用Ｘ線撮影装置において、非接触及び下肢による入力手段により撮影条件あるいは、撮影モードの設定、変更を行い患者から患者への患者感染、また術者への感染を予防する装置の提供を目的とする。
【課題を解決するための手段】
【０００６】
請求項１に係る発明の口内法用の歯科用Ｘ線撮影装置において、撮影に際して特に、撮影条件（ｋＶ、ｍＡ、ｓｅｃ）及び撮影モードの両方または、いずれかの設定／変更手段が、従来一般に用いられている操作パネル上等のスイッチを手先で触れての設定／変更操作とは異なる他の入力検出手段を有する前記設定／変更手段を単独にまたは併設して、前記撮影条件、撮影モードの設定／変更を行う。
【０００７】
請求項２に記載の発明では、撮影条件（ｋＶ、ｍＡ、ｓｅｃ）及び撮影モードの両方または、いずれかの設定／変更手段の入力検出手段が、非接触の複数の検出器で構成され、物体が特定の前記検出器の検出範囲以内に進入したことを検出して前記撮影条件、撮影モードの設定あるいは、変更を行う。
【０００８】
請求項３に記載の発明では、撮影条件（ｋＶ、ｍＡ、ｓｅｃ）及び撮影モードの両方または、いずれかの設定／変更手段の入力検出手段が、非接触の２個の検出器で構成され、物体が単独あるいは、同時に両方の検出器の検出範囲以内に進入したことを検出して前記撮影条件、撮影モードの設定あるいは、変更を行う。
【０００９】
請求項４に記載の発明では、撮影条件（ｋＶ、ｍＡ、ｓｅｃ）及び撮影モードの両方または、いずれかの設定／変更手段の入力検出手段が、複数のフットスイッチで構成され、単独のフットスイッチあるいは、複数のフットスイッチを同時に足先で踏むことで、前記撮影条件、撮影モードの設定あるいは、変更を行う。
【００１０】
請求項５に記載の発明では、撮影条件（ｋＶ、ｍＡ、ｓｅｃ）及び撮影モードの両方または、いずれかの設定／変更手段の入力検出手段が、近接センサ、レーザ、レーザセンサ、可視光及び赤外光による光学センサ、焦電センサのうち選択された少なくとも１つからなる。
【００１１】
請求項６に記載の発明では撮影条件（ｋＶ、ｍＡ、ｓｅｃ）及び撮影モードの両方または、いずれかの設定／変更手段の入力検出手段が、マットスイッチからなる。
【発明の効果】
【００１２】
従来ある口内法用の歯科用撮影装置では、一般的に操作パネルによる操作方法によりそれぞれのスイッチを術者が手先で押し選択している。口内法による撮影では、術者が患者の口腔内に触れることが一般的でありまた、患者毎にまたは、撮影する歯牙によっても撮影条件を変更しなければならないことが多い。よって患者の口腔内に触れた後に操作パネルのスイッチを押すことが常に起こりえる。本発明による口内法用の歯科用Ｘ線撮影装置では、撮影条件、撮影モードの設定、変更は、指先等で直接触れることなく非接触で行われ、あるいは、足先による入力のため、患者から患者への患者感染あるいは、術者への感染を予防する事が出来る。勿論、Ｘ線照射スイッチは、従来医療用Ｘ線装置等に用いられているものの使用は当然のことである。
【発明を実施するための最良の形態】
【００１３】
以下に、図面に従って本発明の実施態様について説明する。
【実施例】
【００１４】
図１は、本発明の口内法用の歯科用Ｘ線撮影装置で検出部を単独に設けた時のブロック図の一例である。図中、１はレントゲン室、２は制御ＢＯＸ、３は外部検出部、４は表示部、５はＸ−ＲＡＹ  ＳＷ．、６はパーソナルコンピュータ（ＰＣ）、７は検出部制御回路、８は中央処理部（ＣＰＵ）を示している。
【００１５】
図２は、本発明の口内法用の歯科用Ｘ線撮影装置で検出部を操作パネルに組み込んだ時のブロック図の一例である。図中、１〜８は上記記載のものと同じである。９は表示部＋外部検出部（操作パネルに検出部を組み込んだもの）を示している。
【００１６】
図３は、本発明の口内法用の歯科用Ｘ線撮影装置において外部検出から撮影までの手順を示したフローチャート図の一例である。
【００１７】
図４は、本発明における非接触による検出手順を説明するためのフローチャートの一部を示した一例である。
【００１８】
図５は、本発明の口内法用の歯科用Ｘ線撮影装置の表示部の一例である。図中、１０は撮影時間（ｓｅｃ）表示器、１１は上顎歯撮影部位表示、１２は下顎歯撮影部位表示、１３は患者サイズ表示、１４は管電圧（ｋＶ）表示、１５は咬合法撮影表示、１６は口外法撮影表示を示している。ここでいう撮影条件とは、ｋＶ、ｓｅｃであり、撮影モードとは、上顎歯撮影部位、下顎歯撮影部位、患者サイズ、咬合法撮影、口外法撮影である。
【００１９】
図６は、本発明の口内法用の歯科用Ｘ線撮影装置の外部検出部の一例である。図中、１７は非接触型センサＡ、１８は非接触型センサＢ、１９は手先（入力）を示している。図６（ａ）では、手先（入力）１９が非接触型センサＡ１７の検出範囲以内に、図６（ｂ）では、非接触型センサＢ１８の検出範囲以内に、図６（ｃ）では、その両方のセンサの検出範囲以内に進入したことを検出して前記撮影条件、撮影モードの設定、変更を行う。勿論手全体を使用することなく指先のみの使用で小型化することが望ましいのは言うまでもない。  
【００２０】
図７は、本発明の口内法用の歯科用Ｘ線撮影装置の撮影条件（ｋＶ、ｓｅｃ）の巡回表示を表したものである。図の２０は最小撮影時間（０．０１ｓｅｃ）、２１は撮影時間（０．０５ｓｅｃ）、２２は撮影時間（０．０６ｓｅｃ）、２３は撮影時間（０．０８ｓｅｃ）、２４は最大撮影時間（１．６ｓｅｃ）を表示した状態を表している。また２５は６０ｋＶ選択表示、２６は６５ｋＶ選択表示、２７は７０ｋＶ選択表示を示している。図にある実線矢印は巡回表示の方向を示している。また点線矢印は、実線矢印で示した巡回表示とは逆の方向に巡回表示が行われることを示している。例えば、実線矢印の場合では０．０８ｓｅｃ、０．０６ｓｅｃ、０．０５ｓｅｃ〜０．０１ｓｅｃ、７０ｋＶ選択表示という具合に巡回表示される。また点線矢印では。０．０５ｓｅｃ、０．０６ｓｅｃ、０．０８ｓｅｃ〜１．６ｓｅｃ、６０ｋＶ選択表示という具合に巡回表示される。
【００２１】
図８は、本発明の口内法用の歯科用Ｘ線撮影装置の撮影モードの巡回表示を表したものである。図の２８は上顎歯撮影部位（１，２）撮影、、２９は上顎歯撮影部位（３，４，５）撮影、３０は上顎歯撮影部位（６，７，８）撮影、３１は下顎歯撮影部位（１，２）撮影、３２は下顎歯撮影部位（３，４，５）撮影、３３は下顎歯撮影部位（６，７，８）撮影、３４は咬合法撮影、３５は口外法撮影、３６は患者サイズ（大人）選択、３７は患者サイズ（子供）選択を表してる。図にある実線矢印は巡回表示の方向を示している。また点線矢印は、実線矢印で示した巡回表示とは逆の方向に巡回表示が行われることを示している。例えば、実線矢印の場合では上顎歯撮影部位（６，７，８）撮影、上顎歯撮影部位（３，４，５）撮影、上顎歯撮影部位（１，２）撮影、患者サイズ（子供）選択という具合に巡回表示される。また点線矢印では口外法撮影、患者サイズ（大人）選択、患者サイズ（子供）選択、上顎歯撮影部位（１，２）撮影という具合に巡回表示される。
【００２２】
図１では、レントゲン室１の中に制御ＢＯＸ２が入っており、外部検出部３及び表示部４は、レントゲン室１の外部にある場合と内部にある場合（破線表示）を表している。外部検出部３は、物体が特定の範囲内に進入したことを非接触により検出するセンサで複数個で構成されている。次に一実施例として、図４のフローチャートに従って説明を行う。
【００２３】
ここでは、前記入力検出手段としてセンサに２個（Ａ，Ｂ）の焦電センサ（ステップ１）を用いて、術者が手をセンサに近づけることで赤外線を検出することにより術者は、従来のように手で操作スイッチを押して撮影条件及び撮影モードの設定、変更をするのではなく、この検出により撮影条件及び撮影モードの設定、変更ができるようになる。また設定、変更された撮影条件及び撮影モードの内容は、表示部４に表示される。
【００２４】
１個のセンサ（Ａ）あるいは、１個のセンサ（Ｂ）がそれぞれ単独に検出するときは、撮影条件の設定、変更が行われる。１個（Ａ）のセンサ（ステップ３）が検出している間は、撮影条件の設定、変更が行われ、例えば撮影条件である撮影時間であれば、例えば、撮影時間（０．０５ｓｅｃ）を一定時間表示すると次の撮影時間（０．０６ｓｅｃ）の表示に変わり、また、一定時間表示すると次の撮影時間（０．０８ｓｅｃ）の表示に変わるという具合に順次表示が変わって行く巡回表示をしている。（ステップ６）尚、検出がなくなるまで巡回表示動作を行う。次に検出をしなくなると（ステップ９）、その時、表示している撮影時間が選択されたことになる。（ステップ１３）
【００２５】
また、前述したセンサ（Ａ）の検出をやめ、もう１個（Ｂ）のセンサ（ステップ４）で検出した時は、前述した巡回表示の方向が反対になる。（ステップ７）例えば、撮影時間（０．０８ｓｅｃ）を一定時間表示すると次の撮影時間（０．０６ｓｅｃ）の表示に変わり、また、一定時間表示すると次の撮影時間（０．０５ｓｅｃ）に変わるという具合になる。同様に検出しなくなると（ステップ１０）、その時、表示している撮影時間が選択されたことになる。（ステップ１４）
【００２６】
また、同時に２個（Ａ，Ｂ）のセンサが検出する（ステップ２）と撮影モードの設定、変更が行われる。例えば、撮影モードである上歯顎撮影部位の１，２を一定時間表示すると次の上歯顎撮影部位３，４，５の表示に変わり、また、一定時間表示すると次の上歯顎撮影部位６，７，８の表示に変わるという具合に、これも同様に巡回表示（ステップ５）される。そして同時検出をやめると（ステップ８）、その時表示していた撮影モードが選択される。（ステップ１１）尚、この時、巡回表示の方向を反対に設定する。（ステップ１２）例えば、上歯顎撮影部位６，７，８が表示された状態で再度２個（Ａ，Ｂ）のセンサが同時に検出すると上歯顎撮影部位３，４，５に表示が変わり、一定時間表示した後、上歯顎撮影部位１，２に表示が変わるという具合に巡回表示の方向が反対になる。
【００２７】
センサにより構成されている外部検出部３に取り込まれた検出信号は、制御ＢＯＸ２にある中央処理部８により処理され表示部４により撮影条件及び撮影モードの状態が表示される。この表示はパーソナルコンピュータ６のモニター上でも可能であることは言うまでもない。そして撮影条件及び撮影モードが選択され決定するとレントゲン室１の外にあるＸ−ＲＡＹ  ＳＷ．５でＸ線照射を行う。尚、前述してきたものは、入力検出手段として２個のセンサを用いて撮影条件及び撮影モードの設定、変更を行う方法である。
【００２８】
同様に３個のセンサ（Ａ，Ｂ，Ｃ）を用いて行う場合は、３個のセンサの内２個のセンサ（Ａ，Ｂ）の動作は前述したものと同じであり、残り１個のセンサ（Ｃ）による動作が撮影条件と撮影モードの設定、変更の切り換えを行う。よってセンサ（Ｃ）により検出されると撮影条件の設定、変更になり、検出を解除して再度検出すると撮影モードの設定、変更になる。このように検出及び解除を繰り返すことにより撮影条件の設定、変更と撮影モードの設定、変更が交互に切り替わる。
【００２９】
次に一実施例として前記入力検出手段が複数のフットスイッチで構成されている場合であるが、例えば、２個のフットスイッチでは、前述した２個のセンサのときと同じ動作を行う。つまりセンサをフットスイッチに置き換えて、センサの場合は非接触による検出であるがフットスイッチでは足先で踏むことにより検出される。また３個のフットスイッチを使用する場合も前述した３個のセンサを使用するときの動作と同様である。
【００３０】
図２において、表示部＋外部検出部９は、上記した外部検出部３と表示部４が１つのＢＯＸ内に入っている場合である。この場合も２個のセンサを使用する場合あるいは、３個のセンサを使用する場合も検出動作、表示方法等は前述したものと同様である。
【００３１】
次に図１に示した装置による撮影手順を図３に示したフローチャートに基づいて説明する。一実施例として、焦電センサを２個使用した場合であるが、術者がセンサに手を近づけることで赤外線を検出する（ステップ１）、外部検出部３において、どのセンサからの入力（検出）か判別して撮影条件あるいは、撮影モードを選択する。（ステップ２）次に表示部４、あるいはパーソナルコンピュータ６のモニターにより選択された撮影条件あるいは、撮影モードを表示する。（ステップ３）続いて表示された撮影条件、撮影モードにおいて、Ｘ−ＲＡＹ  ＳＷ．５を押すことによりＸ線照射を行い撮影を行う。（ステップ４）このように従来のように術者が、操作パネルに手を触れることなく非接触で、撮影条件、撮影モードの設定及び変更を行うことができる。これにより患者から患者への患者感染、あるいは術者への感染を予防することが可能となる。
【図面の簡単な説明】
【００３２】
【図１】本発明の口内法用の歯科用Ｘ線撮影装置で検出部を単独に設けた時のブロッ            ク図の一例。
【図２】本発明の口内法用の歯科用Ｘ線撮影装置で検出部を操作パネルに組み込んだ            時のブロック図の一例。
【図３】本発明における外部検出から撮影までの手順を説明するためのフローチャー            トの一部。
【図４】本発明における非接触による検出手順を説明するためのフローチャートの一            部。
【図５】本発明の口内法用の歯科用Ｘ線撮影装置の表示部の一例。
【図６】本発明の口内法用の歯科用Ｘ線撮影装置の外部検出部の一例。
【図７】本発明の口内法用の歯科用Ｘ線撮影装置の撮影条件（ｋＶ、ｓｅｃ）の巡回            表示を説明するための説明図の一例。
【図８】本発明の口内法用の歯科用Ｘ線撮影装置の撮影モードの巡回表示を説明する            ための説明図の一例。
【符号の説明】
【００３３】
１  レントゲン室
２  制御ＢＯＸ
３  外部検出部
４  表示部
５  Ｘ−ＲＡＹ  ＳＷ．
６  パーソナルコンピュータ（ＰＣ）
７  検出部制御回路
８  中央処理部（ＣＰＵ）
９  表示部＋外部検出部
１０  撮影時間（ｓｅｃ）表示器
１１  上顎歯撮影部位表示
１２  下顎歯撮影部位表示
１３  患者サイズ表示
１４  管電圧（ｋＶ）表示
１５  咬合法撮影表示
１６  口外法撮影表示
１７  非接触型センサＡ
１８  非接触型センサＢ
１９  手先（入力）
２０  最小撮影時間（０．０１ｓｅｃ）
２１  撮影時間（０．０５ｓｅｃ）
２２  撮影時間（０．０６ｓｅｃ）
２３  撮影時間（０．０８ｓｅｃ）
２４  最大撮影時間（１．６ｓｅｃ）
２５  ６０ｋＶ選択表示
２６  ６５ｋＶ選択表示
２７  ７０ｋＶ選択表示
２８  上顎歯撮影部位（１，２）撮影
２９  上顎歯撮影部位（３，４，５）撮影
３０  上顎歯撮影部位（６，７，８）撮影
３１  下顎歯撮影部位（１，２）撮影
３２  下顎歯撮影部位（３，４，５）撮影
３３  下顎歯撮影部位（６，７，８）撮影
３４  咬合法撮影
３５  口外法撮影
３６  患者サイズ（大人）選択
３７  患者サイズ（子供）選択
【図１】
2008229065.tif 000003
【図２】
2008229065.tif 000004
【図３】
2008229065.tif 000005
【図４】
2008229065.tif 000006
【図５】
2008229065.tif 000007
【図６】
2008229065.tif 000008
【図７】
2008229065.tif 000009
【図８】
2008229065.tif 000010